(57)【要約】　　　（修正有）【課題】数字選択式宝くじのくじ券買入字の申込カードへの希望（選択）数字の記入に際し、当該数字を自動的に（頭を使わないで）選択できる器具を提供する。【解決手段】数字選択式宝くじの申込カードに記載の表示数字に見合う数字２ａを表面に表示して表示球２を構成する。該表示球２の混合室６と、該混合室６に連通して前記申込カードで選択する表示数字の数量分の少くも数量の前記表示球２が並んで収納され、しかも、外部から透視可能な表示室８を設けた容器体１に設ける。そして、該容器体１に前記申込カード記載の表示数字の種類数に各種類の表示数字の個数を乗じた数量の前記表示球２を収納する。【選択図】図１
2004030521.tif 000002
【特許請求の範囲】
【請求項１】
数字選択式宝くじの申込カードに記載の表示数字に見合う数字を表面に表示して表示球を構成し、該表示球の混合室と、該混合室に連通して前記申込カードで選択する数字の、少くも個数分の前記表示球が並んで収納され、しかも、外部から透視可能な表示室を設けた容器体に、前記申込カード記載の表示数字の種類数に各種類の表示数字の個数を乗じた数量の前記表示球を収納した、数字選択式宝くじの当り数字携帯用選択器。
【発明の詳細な説明】
【０００１】
【産業上の利用分野】
宝くじの一つとして、３桁（ナンバーズスリーの場合）や４桁（ナンバーズフォーの場合）の数字を選んで、その数字が並び順通りになっている場合に当り券となる「ストレート」や、順が異なっていても数字が一致していれば当り券とする「ボックス」などの種類のある所謂ナンバーズやロト等の数字選択式宝くじがあるが、本発明は、この数字選択式宝くじの当り数字携帯用選択器に関するものである。
【０００２】
【従来の技術】
ナンバーズスリーやナンバーズフォー或いはロトシックス等々いずれの数字選択式宝くじにおいても、申込カードに予め規格的に印刷された表示数字の中から当り数字を選択して所定の記入方式に従って該申込カードの記入して申込み、該記入した数字に見合う当り券を買入するのであるが、数字の記入（選択）はそのときのくじ買入者の気分に委ねられている。
【０００３】
【発明が解決しようとする課題】
数字の選択は、くじ買入者の、そのときの気分によるとはいえ、概し、人それぞれにその選択の仕方にある種の傾向（癖）があるといわれており、くじ買入者は自主的な選択で数字を選ぶ以上、決まった傾向の数字しか買入できないことになり、結果的に、その分、数字の選択に制約を受けていることになる。
【０００４】
本発明は、斯様な状況を勘案し、数字選択式宝くじのくじ券買入に際し当り数字となるべき希望数字を自動的に選択できる器具を提供すべく創案したものである。
【０００５】
【課題を解決するための手段】
数字選択式宝くじの申込カードに記載の表示数字に見合う数字を表面に表示して表示球を構成し、該表示球の混合室と、該混合室に連通して前記申込カードで選択する数字の、少くも個数分の前記表示球が並んで収納され、しかも、外部から透視可能な表示室を設けた容器体に、前記申込カード記載の表示数字の種類数に各種類の表示数字の個数を乗じた数量の前記表示球を収納した構成とするのである。
【０００６】
【発明の実施の形態】
図面は本発明に係る数字選択式宝くじの当り数字携帯用選択器の一実施形態を示し、図１は一部欠截正面図、図２は一部欠截平面図である。
【０００７】
実施形態の、数字選択式宝くじの当り数字携帯用選択器Ａは、片手で持てる程度の大きさの合成樹脂製の容器体１と該容器体１内に収納した、多数の樹脂製の表示球２，２…で構成したものである。
【０００８】
容器体１は、有色基盤３と透明基枠４を、基盤３の上部側を内側に配するようにして互いに嵌着して成り、上部側に前記基盤３と蓋枠４とで構成する混合室６を備えたものである。
【０００９】
混合室６は、該混合室６内に表示球２，２，…全部を収容して混合操作ができる充分な空間域を備えたもので、表示球２の大きさ、数量に従って室の大きさが相対的に決められる。
【００１０】
この混合室６の底壁６ａを構成する前記基盤３の上面の適所には、前記表示球２が単一で係合する（出入する）に充分な径の出入口７を設け、該出入口７を容器本体１の前面側に設けた表示室８に連通路９を介して連通させてある。
【００１１】
表示室８は、前記基盤３の全面を方形状に開口し、その開口面を前記蓋枠４の透明な前部片で閉塞して外部から透視できるようにしたもので、実施形態の場合は「ナンバーズフォー（４）」用で４個の表示球２，２，２，２が一列に並んで収容されるようにしてある。
【００１２】
この表示室８の構成（形成）手段は実施形態に限る必要はないが、数字選択式宝くじが数字の並び順を当り数字の重要な要素とするため、「ナンバーズスリー」にしても「ロトシックス」に適用する場合でも、表示球が当該形式の宝くじの申込カードに記載の表示数字で選択する「数字」数（ナンバーズでは桁数になる）に応じた数の表示球２を一列に収容し、かつ、その並列した各表示球２の表面に表示した数字２ａを表示室８（容器体１）から視認できるようにする必要はある。
【００１３】
表示球２は、実施形態では樹脂製の球体の表面に前記数字２ａを刻設したものであるが、数字２ａの表示手段はもとより自由に選択すれば良く、鉄製の球体を用いても勿論差し支えはない。
【００１４】
なお、表示球２の表面に表示した数字２ａは図示省略してあるが表示球２の表面の六方に（互いに９０度方向に）表示して、表示室８にどのような状態で転動流れ込んでも当該表示球２に対応する数字２ａを視認できるようにしてある。
【００１５】
実施形態は前記の通り「ナンバーズフォー」用の選択器のため、数字「０」乃至「９」の１０種の数字を個別に表示し、各数字毎に４個宛の数量の、従って、４０個の表示球２，２，…（「ナンバーズスリー」の場合は３０個となり、ロトシックスの場合は「１」乃至「４３」の表示数字を個別に表示した数量分の４３個となる）を容器体１（混合室６乃至表示室８）内に収納してある。
【００１６】
そして、この４０個の表示球２，２，…全部を混合室６に収容して容器体１を振って室６内の表示球２，２，…を混合して出入口７を通じて表示球２を表示室８に転がし入れると、該表示室２には４個の表示球２，２，２，２が並列して収容され、各表示球２，２，２，２の並列状態から図１で示すように、例えば、「１８７４」の数字が視認され、この「１８７４」の数字に従って宝くじ申込カードに記載の表示数字を利用して当該数字を所定の方法に従って記入し、「ストレート」「ボックス」或いは「セット」などを付加記載しくじ券を買入することとなるのである。
【００１７】
なお、本発明は、申込カード記載の表示数字の種類数（「ナンバンーズフォー」或いは「ナンバーズスリー」では「０」「１」「２」「３」「４」「５」「６」「７」「８」および「９」の１０種類ということになり、「ロトシックス」では「１」乃至「４３」の４３種類ということになる）に各種類の表示数字の個数（「ナンバーズフォー」等では４個、「ナンバーズスリー」では３個、ロトシックスでは１個ということになる）を乗じた数量（「ナンバーズフォー」では４０個、「ナンバーズスリー」では３０個、ロトシックスでは４３個ということになる）の表示球２，２，…を容器体１に収納してあれば良く、実施形態で示す「ナンバーズフォー」用の選択器に限定する必要のないことは勿論である。
【００１８】
【発明の効果】
本発明は前記の通りの構成であるから、混合室内で表示球を混合し、混合した結果、選択された表示球を表示室内に並列収容させることにより、無意識下で行われる限られた数字の選択とは異なり、かつ、どの数字をすべきか特別な考慮をせずに、数字選択式宝くじの数字を選択することができる。
【図面の簡単な説明】
【図１】一部欠截正面図。
【図２】一部欠截平面図。
【符号の説明】
１　　　容器体
２　　　表示球
２ａ　　数字
６　　　混合室
８　　　表示室
【図１】
2004030521.tif 000003
【図２】
2004030521.tif 000004